(57)【要約】【課題】電池の外表面に均一な厚さで接着剤を塗布できる接着剤塗布方法および接着剤塗布装置を提供する。【解決手段】発電要素を外装部材１１で封止した電池１０の外表面に接着剤Ａを塗布する接着剤塗布方法であって、接着剤Ａを供給する接着剤供給手段を、前記電池１０の外表面に対して加圧力が一定となるように調整しつつ相対的に加圧するとともに、前記外表面に沿って相対的に移動させて当該外表面上に接着剤Ａを塗布する。【選択図】図５
2013118112.tif 000002
【特許請求の範囲】
【請求項１】
発電要素を外装部材で封止した電池の外表面に接着剤を塗布する接着剤塗布方法であって、
接着剤を供給する接着剤供給手段を、前記電池の外表面に対して加圧力が一定となるように調整しつつ相対的に加圧するとともに、前記外表面に沿って相対的に移動させて当該外表面上に接着剤を塗布する接着剤塗布方法。
【請求項２】
前記接着剤供給手段は、前記接着剤を担持する担持体上に当該接着剤を一旦塗布し、当該担持体を前記電池の外表面に相対的に加圧して前記担持体上の接着剤を前記外表面に転写する、請求項１に記載の接着剤塗布方法。
【請求項３】
前記担持体はベルトであり、前記接着剤を担持した当該ベルトを前記外表面に加圧しつつ移動させて当該ベルト上の接着剤を前記外表面に転写する、請求項１又は請求項２に記載の接着剤塗布方法。
【請求項４】
前記接着剤にホットメルト型の接着剤を適用し、当該接着剤を加熱することで流動性を持たせて前記ベルトに塗布し、
前記ベルトへの前記接着剤の塗布位置から前記電池の外表面に前記接着剤を転写する転写位置まで前記ベルトを移動させて当該ベルト上で前記接着剤の温度を低下させた後に、前記接着剤を前記電池の外表面に転写する、請求項３に記載の接着剤塗布方法。
【請求項５】
発電要素を外装部材で封止した電池の外表面に接着剤を塗布する接着剤塗装置であって、
接着剤を供給する接着剤供給手段と、
前記接着剤供給手段を前記電池の外表面に対して加圧力が一定となるように調整しつつ相対的に加圧する加圧手段と、
接着剤供給手段を前記外表面に沿って相対的に移動させる移動手段と、を有する接着剤塗布装置。
【請求項６】
前記接着剤供給手段は、
前記接着剤を担持する担持体と、
前記担持体上に前記接着剤を塗布する塗布手段と、を有し、
当該担持体を前記電池の外表面に相対的に加圧して前記担持体上の接着剤を前記外表面に転写する、請求項５に記載の接着剤塗布装置。
【請求項７】
前記担持体はベルトであり、前記接着剤を担持した当該ベルトを前記外表面に加圧しつつ移動させて当該ベルト上の接着剤を前記外表面に転写する、請求項５又は請求項６に記載の接着剤塗布装置。
【請求項８】
前記接着剤は、ホットメルト型の接着剤であり、
前記塗布手段は、加熱することで流動性を持たせた前記接着剤を前記担持体上に塗布し、
前記ベルトは、当該ベルトへの前記接着剤の塗布位置から前記電池の外表面に前記接着剤を転写する転写位置まで移動して当該ベルト上の前記接着剤の温度を低下させた後に、前記接着剤を前記電池の外表面に転写する、請求項７に記載の接着剤塗布装置。
【請求項９】
前記加圧手段は、前記電池を載置する台または前記担持体を進退動させて加圧する、請求項５〜８のいずれか１項に記載の接着剤塗布装置。
【発明の詳細な説明】
【技術分野】
【０００１】
本発明は、電池に適用される接着剤塗布方法および接着剤塗布装置に関する。
【背景技術】
【０００２】
近年、自動車用電池、太陽電池および電子機器用電池など各種電池において、ラミネートシートからなる外装部材により電池要素を封止するとともに外装部材から電極端子を外部に導出した扁平型電池が使用されている。例えば特許文献１には、複数の扁平型電池を接着部材で接着しつつ積層した電池モジュールが記載されている。
【先行技術文献】
【特許文献】
【０００３】
【特許文献１】特開２００７―２５８１８０号公報
【発明の概要】
【発明が解決しようとする課題】
【０００４】
しかしながら、例えばラミネートシートのような柔軟性のある外装部材は厚さが一定せず、かつ表面が柔らかく可撓性を有しているため、接着剤を用いて接着しようとすると、塗布後の接着剤の厚さのばらつきが生じ、厚く塗布された部分、薄く塗布された部分、あるいは塗布されない部分が生じる可能性がある。
【０００５】
このような接着剤の厚さのばらつきは、電池を複数積層した際に、各々の電池に局所的な圧力を生じさせ、電池の内部の電池要素に影響を及ぼし、更に電池の間に隙間を生じさせて良好に固定できない虞がある。
【０００６】
本発明は、上記の課題を解決するためになされたものであり、電池の外表面に均一な厚さで接着剤を塗布できる接着剤塗布方法および接着剤塗布装置を提供することを目的とする。
【課題を解決するための手段】
【０００７】
本発明の接着剤塗布方法は、発電要素を外装部材で封止した電池の外表面に接着剤を塗布する接着剤塗布方法である。当該接着剤塗布方法は、接着剤を供給する接着剤供給手段を、前記電池の外表面に対して加圧力が一定となるように調整しつつ相対的に加圧するとともに、前記外表面に沿って相対的に移動させて当該外表面上に接着剤を塗布する。
【発明の効果】
【０００８】
本発明の接着剤塗布方法によれば、接着剤供給手段を、加圧力が一定となるように調整しつつ電池の外表面に相対的に加圧し、外表面に沿って相対的に移動させて接着剤を塗布するため、一定の加圧力で接着剤の厚さを調整でき、電池の外表面に接着剤を均一な厚さで塗布できる。
【図面の簡単な説明】
【０００９】
【図１】電池モジュールを示す平面図である。
【図２】扁平型電池を示す分解斜視図である。
【図３】第１実施形態に係る接着剤塗布装置を示す平面図である。
【図４】第１実施形態に係る接着剤塗布装置のベルトに接着剤を塗布する際を説明するための平面図である。
【図５】第１実施形態に係る接着剤塗布装置のベルト上の接着剤を扁平型電池に転写する際を説明するための平面図である。
【図６】第１実施形態に係る接着剤塗布装置のベルト上の接着剤を扁平型電池に転写した後を説明するための平面図である。
【図７】第２実施形態に係る接着剤塗布装置を示す平面図である。
【図８】第２実施形態に係る接着剤塗布装置のベルト上の接着剤を扁平型電池に転写する際を説明するための平面図である。
【図９】第２実施形態に係る接着剤塗布装置のベルト上の接着剤を扁平型電池に転写した後を説明するための平面図である。
【発明を実施するための形態】
【００１０】
以下、添付した図面を参照しながら、本発明の実施形態を説明する。なお、図面の説明において同一の要素には同一の符号を付し、重複する説明を省略する。図面の寸法比率は、説明の都合上誇張されており、実際の比率とは異なる。
【００１１】
＜第１実施形態＞
図１および図２を参照して、電池モジュール１は、ケース２の内部に、直列または並列に接続した複数（本実施形態では４つ）の扁平型電池１０（二次電池に相当する）を収納している。電池モジュール１は、単独で使用することが可能であるが、例えば、複数の電池モジュール１を更に直列化および／または並列化することによって、所望の電流、電圧、容量に対応した組電池を形成することができる。
【００１２】
扁平型電池１０は、図２に示すように、例えば、リチウムイオン二次電池であり、積層電極体３０が外装部材１１内に電解液とともに収納されている。扁平型電池１０は、外装部材１１から外部に導出される電極（以下、「タブ」という）１４，１５を有する。
【００１３】
積層電極体３０は、正極３１、負極３２およびセパレータ３３を順に積層して形成される。正極３１は、例えば、ＬｉＭｎ２Ｏ４等のリチウム−遷移金属複合酸化物からなる正極活物質層を有する。負極３２は、例えば、カーボンおよびリチウム−遷移金属複合酸化物からなる負極活物質層を有する。セパレータ３３は、例えば、電解質を浸透し得る通気性を有するポーラス状のＰＥ（ポリエチレン）から形成される。
【００１４】
外装部材１１は、軽量化および熱伝導性の観点から、アルミニウム、ステンレス、ニッケル、銅などの金属（合金を含む）をポリプロピレンフィルム等の絶縁体で被覆した高分子−金属複合ラミネートフィルムなどのシート材からなる。外装部材１１は、積層電極体３０を覆う本体部１２と、本体部１２の周縁に伸びる外周部１３とを有しており、外周部１３の一部または全部が、熱融着により接合されている。
【００１５】
タブ１４および１５は、積層電極体３０から電流を引き出すための部材であり、扁平型電池１０の一方側に延長している。
【００１６】
互いに重なる扁平型電池１０同士は、滑り等を防止するためにホットメルト型の接着剤Ａによって接着されており、扁平型電池１０同士の間には、接着剤Ａが硬化した接合部材２０が設けられる（図１参照）。
【００１７】
ホットメルト型の接着剤Ａは、加熱することで溶融して流動可能となり、冷却して常温とすることで硬化する接着剤であり、例えば熱可塑性の合成樹脂やゴム等を主成分として構成される。本実施形態では、ホットメルト型の接着剤Ａとして、変性オレフィン系の熱可塑性樹脂を主成分とした東亜合成株式会社製のアロンメルト（登録商標）ＰＰＥＴ５００４を使用する。
【００１８】
次に、第１実施形態に係る接着剤塗布装置１００について説明する。
【００１９】
接着剤塗布装置１００は、扁平型電池１０の外装部材１１の外表面の一方面に、前述のホットメルト型の接着剤Ａを塗布する装置である。接着剤塗布装置１００は、図３に示すように、接着剤Ａを塗布するための塗布部１１０（接着剤供給手段）と、扁平型電池１０を搬送するための搬送部１２０と、装置全体を統括的に制御する制御部１８０とを備えている。
【００２０】
塗布部１１０は、加熱溶融させた接着剤Ａを吐出するノズル１３０（塗布手段）と、ノズル１３０から吐出された接着剤Ａを一旦表面に担持するベルト１４０（担持体）と、ベルト１４０上に空気等の気体を吹き付けて接着剤Ａおよびベルト１４０を冷却させる冷却手段１５０と、を備えている。
【００２１】
ノズル１３０は、ベルト１４０の表面に向かって加熱溶融させた接着剤Ａを吐出するものである。なお、ノズル１３０は、ベルト１４０の表面からの距離を調整できることが好ましい。
【００２２】
ベルト１４０は、環状に形成され、２つのプーリ１４１によって回転可能に保持されており、モータ等の駆動源（不図示）によって回転駆動する少なくとも一方のプーリ１４１から回転力を受けて回転移動する。ベルト１４０の外周面１４３は、シリコーン樹脂やフッ素樹脂等の低摩擦材料によって形成されている。駆動源は、制御部１８０によって制御されて、ベルト１４０の移動速度を調整可能となっている。ベルト１４０の接着剤Ａが塗布される外周面１４３全体の面積は、扁平型電池１０の接合部材２０の面積以上であることが好ましい。また、ベルト１４０は、ベルト１４０に対して進退可能なテンション調整プーリ１４２によって、張力を調整可能となっている。
【００２３】
搬送部１２０は、扁平型電池１０を載置するパレット１２１を保持可能な保持台１６０と、保持台１６０を搬送方向Ｘ（水平方向）および加圧方向Ｙ（鉛直方向）の２方向へ移動させることが可能な移動手段１７０（加圧手段）とを備えている。
【００２４】
移動手段１７０は、駆動源であるモータ（不図示）を備え、当該モータを制御部１８０によって制御することで、水平方向に延びるガイドレール１７３に沿って搬送方向Ｘへ移動可能である。また、移動手段１７０は、上方に保持している保持台１６０を、加圧方向Ｙへ移動させるための駆動源であるモータ１７２を備えている。モータ１７２は、制御部１８０によってトルク制御されて、加圧方向Ｙへの移動量および加圧力を任意に調整することが可能となっている。なお、保持台１６０を加圧方向Ｙへ移動させるための駆動源は、モータに限定されず、例えば油圧シリンダやエアシリンダ等でもよい。また、加圧手段として、バネ等の弾性体を利用して略一定の圧力で加圧する構造を適用することもできる。
【００２５】
次に、第１実施形態に係る接着剤塗布装置１００を用いた接着剤Ａの塗布方法を説明する。
【００２６】
扁平型電池１０に接着剤Ａを塗布する際には、まず、図４に示すように、移動手段１７０によって保持台１６０を搬送方向Ｘの上流側に配置し、保持台１６０上に、扁平型電池１０を載置したパレット１２１を設置する。次に、ベルト１４０を回転させ、ベルト１４０の外周面１４３上に、溶融した接着剤Ａをノズル１３０から塗布する。このとき、ベルト１４０は、一定の速度で移動し、かつ接着剤Ａが流動性を有する温度であるため、ベルト１４０上に一定厚さの接着剤Ａが塗布される（塗布工程Ｓ０１）。接着剤Ａのベルト１４０上での厚さは、ベルト１４０の速度およびノズル１３０からの接着剤Ａの単位時間当たりの供給量等により決定され、一例として１００μｍ程度であるが、所望の厚さに適宜設定可能である。
【００２７】
ノズル１３０による接着剤Ａの供給は、ベルト１４０上の接着剤Ａの面積が、扁平型電池１０の外表面に必要な接着剤Ａの面積と同面積となるまで継続された後、停止される。
【００２８】
ベルト１４０上に塗布された接着剤Ａは、ノズル１３０が位置する塗布位置Ｐ１からベルト１４０の回転によって搬送され、扁平型電池１０の外表面に接する最下端（転写位置Ｐ２）に達するまでに、雰囲気に晒されて温度が低下する。第１実施形態では、接着剤Ａの温度は、ノズル１３０から供給された際には約１６０度であり、転写位置Ｐ２に到達するまでに室温程度の約３０度まで低下する。温度の低下は、塗布する接着剤Ａの種類、厚さ、ベルト１４０の温度や材料、気温等にも依存し、必要であれば、冷却手段１５０により接着剤Ａおよびベルト１４０に気体を吹き付けて温度を低下させてもよい。接着剤Ａの温度を低下させることで、接着剤Ａをベルト１４０から剥がれやすくすることができる。
【００２９】
また、ベルト１４０に接着剤Ａを塗布する塗布工程Ｓ０１と並行して、扁平型電池１０を載置した保持台１６０を、搬送方向Ｘへ移動させる。そして、図５に示すように、扁平型電池１０の速度およびベルト１４０の速度を制御部１８０により同期させ、ベルト１４０上の接着剤Ａが転写位置Ｐ２に到達するタイミングで、扁平型電池１０の接着剤Ａを塗布する領域を、転写位置Ｐ２に到達させる。ベルト１４０上の接着剤Ａが扁平型電池１０の外表面に接すると、ベルト１４０の外周面１４３が低摩擦材料により形成されているため、ベルト１４０を移動させ続けることで、図６に示すように、接着剤Ａがベルト１４０から離れて扁平型電池１０の外表面に転写される（転写工程Ｓ０２）。このとき、接着剤Ａの温度は室温程度まで低下しているため、扁平型電池１０の内部の電池要素、例えば電解液に影響を及ぼさず、電池性能が低下しない。
【００３０】
また、ベルト１４０上の接着剤Ａは、扁平型電池１０の外表面に到達した際には流動性をほとんど失っているが、接着剤Ａが既にベルト１４０上で均一な厚さとなっているため、転写するだけで扁平型電池１０の外表面に均一な厚さで接着剤Ａを塗布することができる。
【００３１】
そして、ベルト１４０上の接着剤Ａを扁平型電池１０の外表面に転写している間は、移動手段１７０（加圧手段）のモータ１７２を制御部１８０によって制御することで、保持台１６０の加圧方向Ｙへ加圧力を一定となるように制御する。これにより、外装部材１１がラミネートフィルムであり柔軟性（可撓性）を有するために、扁平型電池１０の厚さにばらつきがあったり表面の形状が不均一な場合であっても、接着剤Ａを一定の圧力で加圧しながら扁平型電池１０の外表面に転写できる。このため、扁平型電池１０の外表面に、接着剤Ａを均一な厚さで塗布できる。また、ベルト１４０上の接着剤Ａの厚さが厳密に均一でなくとも、保持台１６０による加圧方向Ｙへの加圧力（または変位）を一定となるように制御することで、扁平型電池１０の外表面に転写される接着剤Ａの厚さを矯正してより均一な厚さとすることができる。
【００３２】
接着剤Ａを転写された扁平型電池１０は、移動手段１７０によって搬送方向Ｘへ搬送され、後の工程で他の扁平型電池１０と積層され、接着剤Ａが硬化して形成される接合部材２０により互いに接合されて、電池モジュールを構成する（図１参照）。このとき、接着剤Ａ（接合部材２０）が一定の厚さとなっているため、扁平型電池１０に局所的な圧力が作用せず、扁平型電池１０の内部の電池要素に影響を及ぼさず、電池性能が低下しない。また、接着剤Ａ（接合部材２０）が一定の厚さとなっているため、扁平型電池１０の間に隙間が形成され難くなり、良好に固定することができる。
【００３３】
以上説明したように、第１実施形態によれば、接着剤Ａを供給する塗布部１１０（接着剤供給手段）を、加圧力が一定となるように調整しつつ扁平型電池１０の外表面に相対的に加圧し、当該外表面に沿って相対的に移動させて接着剤Ａを塗布する。このため、扁平型電池１０の外表面に、接着剤Ａを均一な厚さとなるように加圧して押し広げつつ塗布できる。これにより、扁平型電池１０を複数積層した際に、各々の扁平型電池１０に局所的な圧力が加わって扁平型電池１０の内部の電池要素に影響を及ぼすことを抑制でき、更に扁平型電池１０の間に不要な隙間が生じに難くなり良好に固定することが可能となる。
【００３４】
また、塗布部１１０（接着剤供給手段）は、接着剤Ａを担持するベルト１４０（担持体）上に接着剤Ａを一旦塗布し、ベルト１４０を扁平型電池１０の外表面に相対的に加圧してベルト１４０上の接着剤Ａを外表面に転写する。このため、ベルト１４０（担持体）上に接着剤Ａを塗布した後、転写時に接着剤Ａに一定の圧力を作用させて、接着剤Ａを均一な厚さで塗布することができる。
【００３５】
また、担持体がベルト１４０であり、当該ベルト１４０を扁平型電池１０の外表面に押し付けつつ移動させて接着剤Ａを外表面に転写するため、ベルト１４０の移動を利用して一定の圧力を作用させつつ転写することができる。
【００３６】
また、本実施形態では、ホットメルト型の接着剤Ａを加熱することで流動性を持たせてベルト１４０に塗布し、ベルト１４０を塗布位置Ｐ１から転写位置Ｐ２まで移動させてベルト１４０上で接着剤Ａの温度を低下させた後に、接着剤Ａを扁平型電池１０の外表面に転写する。このため、扁平型電池１０の外表面に転写する際の接着剤Ａの温度を、扁平型電池１０の内部の電池要素に影響を与えない温度まで低下させることができる。
【００３７】
また、移動手段１７０（加圧手段）が、扁平型電池１０を載置する保持台１６０を進退動させて加圧するため、複雑な構成の塗布部１１０（接着剤供給手段）を上下動させる必要がなく、装置を容易に構成することができる。
【００３８】
＜第２実施形態＞
第２実施形態に係る接着剤塗布装置２００は、ベルト１４０上の接着剤Ａを扁平型電池１０の外表面に加圧する加圧手段２３０が、ベルト１４０側（接着剤供給手段側）にある点で、保持台１６０側に加圧手段（移動手段１７０）が設けられる第１実施形態に係る接着剤塗布装置１００と異なる。なお、第１実施形態と同様の機能を有する部位には、同一の符号を付し、説明を省略する。
【００３９】
図７を参照して、第２実施形態に係る接着剤塗布装置２００は、接着剤Ａを塗布するための塗布部２１０と、扁平型電池１０を搬送するための搬送部２２０と、装置全体を統括的に制御する制御部２８０とを備えている。
【００４０】
塗布部２１０は、加熱溶融させた接着剤Ａを吐出するノズル１３０（塗布手段）と、ノズル１３０から吐出された接着剤Ａを一旦表面に担持するベルト１４０（担持体）と、ベルト１４０上に空気等の気体を吹き付けて冷却するための冷却手段１５０と、を備えている。そして、ノズル１３０、ベルト１４０および冷却手段１５０は、鉛直方向へガイドレール２１１に沿って移動可能な移動部材２１２に設置されており、移動部材２１２は、エアーシリンダである加圧手段２３０によって移動可能となっている。なお、加圧手段２３０は、エアーシリンダに限定されず、例えばモータや油圧シリンダ等でもよい。加圧手段２３０は、制御部２８０によって加圧力を任意に制御することが可能である。また、加圧手段として、バネ等の弾性体を利用して略一定の圧力で加圧する構造を適用することもできる。
【００４１】
搬送部２２０は、扁平型電池１０を載置するパレット１２１を保持して搬送方向Ｘ（水平方向）へ搬送可能なコンベア２２１（移動手段）を備えている。
【００４２】
次に、第２実施形態に係る接着剤塗布装置２００を用いた接着剤Ａの塗布方法を説明する。
【００４３】
まず、図７に示すように、扁平型電池１０を載置したパレット１２１を、コンベア２２１の搬送方向Ｘの上流側に配置する。次に、ベルト１４０を回転させ、ベルト１４０の外周面１４３上に、ノズル１３０から溶融した接着剤Ａを塗布する（塗布工程Ｓ１１）。このとき、ベルト１４０は、一定の速度で移動し、かつ接着剤Ａが流動性を有する温度であるため、ベルト１４０上に一定厚さの接着剤Ａが塗布される。
【００４４】
ノズル１３０による接着剤Ａの供給は、ベルト１４０上の接着剤Ａの面積が、扁平型電池１０の外表面に必要な接着剤Ａの面積と同面積となるまで継続された後、停止される。
【００４５】
ベルト１４０上に塗布された接着剤Ａは、ノズル１３０が位置する塗布位置Ｐ１からベルト１４０の回転によって搬送され、扁平型電池１０の外表面に接する最下端（転写位置Ｐ２）に達するまでに、雰囲気に晒されて温度が低下する。
【００４６】
また、ベルト１４０に接着剤Ａを塗布する塗布工程Ｓ１１と並行して、コンベア２２１によって扁平型電池１０を搬送方向Ｘへ移動させる。そして、図８に示すように、扁平型電池１０の速度およびベルト１４０の速度を制御部２８０により同期させ、ベルト１４０上の接着剤Ａが転写位置Ｐ２に到達するタイミングで、扁平型電池１０の外表面の接着剤Ａを塗布する領域を、転写位置Ｐ２に到達させる。ベルト１４０上の接着剤Ａが扁平型電池１０の外表面に接すると、ベルト１４０が低摩擦材料で形成されているため、ベルト１４０を移動させ続けることで、図９に示すように、接着剤Ａがベルト１４０から離れて扁平型電池１０の外表面に転写される（転写工程Ｓ１２）。
【００４７】
そして、ベルト１４０上の接着剤Ａを扁平型電池１０の外表面に転写している間は、加圧手段２３０を制御することで、ベルト１４０の加圧方向Ｙへの加圧力（または変位）を一定となるように制御する。これにより、外装部材がラミネートフィルムであるために扁平型電池１０の厚さにばらつきがあったり、外装部材が可撓性を有するために外装部材の表面の形状が不均一な場合であっても、接着剤Ａを一定の圧力で加圧しながら扁平型電池１０の外表面に転写できるため、接着剤Ａを均一な厚さとして外表面に塗布できる。また、ベルト１４０上の接着剤Ａの厚さが均一でなくとも、ベルト１４０の加圧方向Ｙへ加圧力を一定となるように制御することで、扁平型電池１０の外表面に転写される接着剤Ａの厚さを矯正してより均一な厚さとすることができる。
【００４８】
接着剤Ａを転写された扁平型電池１０は、コンベア２２１によって搬送方向Ｘへ搬送され、後の工程で他の扁平型電池１０と積層され、接着剤Ａにより互いに接着されて、電池モジュールが構成される（図１参照）。
【００４９】
以上説明したように、第２実施形態によれば、加圧手段２３０が、接着剤供給手段側であるベルト１４０（担持体）を進退動させて加圧するため、扁平型電池１０を搬送する搬送部２２０側を簡便な構成とすることができ、搬送の高速化を図ることができる。
【００５０】
（改変例）
本発明は、上述した実施形態に限定されるものではなく、適宜改変することができる。例えば、ベルト１４０の面積は、扁平型電池１０の外表面に転写される接着剤Ａの面積よりも小さくてもよい。また、電池は、積層して接着剤Ａにより接着可能であれば、ラミネートシートにより封止された扁平型電池１０でなくてもよい。
【符号の説明】
【００５１】
１０    扁平型電池、
１００，２００    接着剤塗布装置、
１１０，２１０    塗布部（接着剤塗布手段）、
１２０    搬送部、
１３０    ノズル（塗布手段）、
１４０    ベルト（担持体）、
１６０    保持台、
１７０    移動手段（加圧手段）、
２２１    コンベア（移動手段）、
２３０    加圧手段、
Ａ    接着剤、
Ｐ１    塗布位置、
Ｐ２    転写位置、
Ｓ０１，Ｓ１１    塗布工程、
Ｓ０２，Ｓ１２    転写工程、
Ｘ    搬送方向、
Ｙ    加圧方向。
【図１】
2013118112.tif 000003
【図２】
2013118112.tif 000004
【図３】
2013118112.tif 000005
【図４】
2013118112.tif 000006
【図５】
2013118112.tif 000007
【図６】
2013118112.tif 000008
【図７】
2013118112.tif 000009
【図８】
2013118112.tif 000010
【図９】
2013118112.tif 000011